(57)【特許請求の範囲】
【請求項１】
外周の接着剤塗布面に接着剤を塗布して、便器の溜水部底側に組み付けられる断熱カバーであって、該断熱カバーの前記接着剤塗布面に形成されたヒーターコード用の切欠凹部は、離脱可能な部材で覆蓋されていることを特徴とする便器の断熱カバー。
【発明の詳細な説明】
【０００１】
【産業上の利用分野】
この発明は、便器に組み付けられる断熱カバーに関するものである。
【０００２】
【従来の技術及びその課題】
従来、図４に示すように、便器本体１には、鉢面１ａと、その下流側にトラップ部１ｂが形成され、鉢面１ａからトラップ部１ｂに亘り水封水が溜められて溜水面Ｗが形成されており、この溜水の部分、即ち鉢面１ａからトラップ部１ｂに亘る部位の底側には、発泡材の断熱カバー２が貼着されている。
この断熱カバー２は、図５の底側から見た図で示すように、外周に接着剤塗布面２ａが形成され、この接着剤塗布面２ａに接着剤を塗布して便器本体１に組み付けられるもので、この断熱カバー２には、凹み状にコード溝２１と、接着剤塗布面２ａを貫通させて切欠凹部２２が形成され、これは寒冷地に用いる場合に、前記溜水面Ｗの部分の凍結を防ぐために、図４のように断熱カバー２に緩衝材３を介在させて、ヒーター４を前記鉢面１ａ及びトラップ部１ｂの底側に固定しており、このように寒冷地においてヒーター４を組み付ける場合を想定して、予め従来の断熱カバー２の接着剤塗布面２ａには、貫通状にヒーターのコードを通すための切欠凹部２２が形成されている。
なお、図６は、コード溝２１及び切欠凹部２２内にヒーターのコード４ａを通した状態の底面図を示す。
【０００３】
しかし、ヒーターを組み付けるのは寒冷地のみであり、その他の地域では、断熱カバー２のみが組み付けられるため、断熱カバー２のみを組み付ける場合には、この切欠凹部２２を接着剤で埋めて密閉性を高める必要があり、組み付け時に切欠凹部２２内に接着剤が入り込み、組み付け性が悪く、時間が掛かり、しかも接着剤の消費量が大となってしまうという問題点があった。
【０００４】
【課題を解決するための手段】
本発明は上記従来の問題点に鑑み案出したものであって、組み付け性が向上する便器の断熱カバーを提供せんことを目的とし、その要旨は、外周の接着剤塗布面に接着剤を塗布して、便器の溜水部底側に組み付けられる断熱カバーであって、該断熱カバーの前記接着剤塗布面に形成されたヒーターコード用の切欠凹部は、離脱可能な部材で覆蓋されていることである。
【０００５】
【実施例】
以下、本発明の実施例を図面に基づいて説明する。
図１は、図４に示すように便器本体１の鉢面１ａからトラップ部１ｂに亘る常に水が溜まる底側に、断熱カバー２を貼着状に組み付けた底面構成図であり、本例における断熱カバー２は、その外周全域に接着剤を塗布するために接着剤塗布面２ａが形成されており、従来のようなヒーターコード用の切欠凹部２２は存在せず、接着剤塗布面２ａの内側にヒーターコードを嵌め込むコード溝２１が凹み状等に形成されたものとなっている。
【０００６】
従って、本例の断熱カバー２は、その外周の接着剤塗布面２ａには貫通した切欠凹部２２が存在しないために、この断熱カバー２のみを便器本体１の底側に貼付け固定する時に、従来のように切欠凹部２２を接着剤で埋める必要がなく、接着剤を接着剤塗布面２ａに塗布して、少ない接着剤で短時間で便器本体に貼付けて組み付けることができ、作業性が向上するものとなる。
【０００７】
なお、寒冷地用に、ヒーターも組み付ける必要がある時には、断熱カバー２に緩衝材３を介在させて、その内側にヒーター４を重ね合わせ、接着剤塗布面２ａに接着剤を塗布して便器本体の底側に貼付けて組み付けることができ、この時に、断熱カバー２の接着剤塗布面２ａはその厚みが薄いため、ヒーターのコード４ａは無理嵌めで便器本体側に押し付けて組み付けることができ、ヒーターを同時に組み付ける場合にも断熱カバー２の組み付けの作業性は変わらないものとなる。
図２は、ヒーターコード４ａを接着剤塗布面２ａで便器本体の陶器側へ押し付けて無理嵌めした状態の底面構成図である。
【０００８】
このように本例では、接着剤塗布面２ａに貫通する切欠凹部２２が存在しないものであるため、接着剤が切欠凹部２２に入り込むことがなく、接着剤を少なくできて、時間が掛からず断熱カバーを組み付けることができるものである。
【０００９】
なお、図３の要部拡大側面図で示すように、断熱カバー２の接着剤塗布面２ａに、従来と同様に貫通状に切欠凹部２２を形成させておき、この切欠凹部２２を、シート状などの離脱部材２３で覆蓋させた構造としておくこともでき、図３のように、常には切欠凹部２２は離脱部材２３で塞がれて、離脱部材２３の外周に、例えばミシン目Ｍを形成させて、離脱部材２３を離脱可能な構造としておけば、便器本体１に対して断熱カバー２のみを組み付ける場合は、離脱部材２３を付けたままで、離脱部材２３の表面に他の接着剤塗布面２ａと同様に接着剤を塗布して、良好な作業性を呈して便器本体の底側に貼着状に組み付けることができるものであり、寒冷地用にヒーターも同時に組み付ける場合にのみ、この離脱部材２３をミシン目Ｍで剥がして、切欠凹部２２を露出させ、この切欠凹部２２内にヒーターのコード４ａを通して、ヒーターを断熱カバー２と同時に組み付けることができるものである。
【００１０】
なお、このミシン目Ｍによるシート状の離脱部材２３に代えて、空洞状に形成した切欠凹部２２内に、別の離脱部材を挿入させておき、常には切欠凹部２２を挿入した離脱部材で覆蓋するような構成としておいても良く、ヒーターを同時に組み付ける時のみ、離脱部材を切欠凹部２２から取り外して、切欠凹部２２にヒーターのコード４ａを入れて組み付けることができるものとなる。
【００１１】
【発明の効果】
本発明は、外周の接着剤塗布面に接着剤を塗布して、便器の溜水部底側に組み付けられる断熱カバーであって、該断熱カバーの前記接着剤塗布面に形成されたヒーターコード用の切欠凹部は、離脱可能な部材で覆蓋されていることにより、便器に断熱カバーのみを組み付ける場合には、離脱部材上にも他の接着剤塗布面と同様に接着剤を塗布して、良好な作業性を呈して断熱カバーを便器に組み付けることができ、寒冷地用にヒーターが必要である場合に、離脱部材を取り外して切欠凹部を露出させ、切欠凹部内にヒーターコードを入れて、良好にヒーターと共に断熱カバーを便器本体に組み付けることができるものとなる。
【図面の簡単な説明】
【図１】  外周の接着剤塗布面に切欠凹部の存在しない断熱カバーを便器の底側に貼着した状態の底面構成図である。
【図２】  ヒーターを同時に組み付ける場合にヒーターコードを接着剤塗布面に無理嵌めして組み付けた状態の底面構成図である。
【図３】  断熱カバーの接着剤塗布面の一部に形成された切欠凹部が離脱可能な離脱部材で覆蓋されている状態の要部側面拡大図である。
【図４】  便器本体の底側に断熱カバーを貼着した状態の断面構成図である。
【図５】  従来の断熱カバーの組付状態の底面構成図である。
【図６】  従来、切欠凹部内にヒーターコードを入れて組み付けた状態の底面構成図である。
【符号の説明】
１  便器本体
１ａ  鉢面
１ｂ  トラップ部
２  断熱カバー
２ａ  接着剤塗布面
３  緩衝材
４  ヒーター
４ａ  ヒーターコード
２１  コード溝
２２  切欠凹部
２３  離脱部材
Ｍ  ミシン目
Ｗ  溜水面
【図１】
0003635397.tif 000002
【図２】
0003635397.tif 000003
【図３】
0003635397.tif 000004
【図４】
0003635397.tif 000005
【図５】
0003635397.tif 000006
【図６】
0003635397.tif 000007